(57)【要約】【課題】録画コンテンツ視聴時も感動を共有する。【解決手段】一の情報処理装置は、各場面を時系列状に包含するコンテンツを再生する手段、コンテンツの各場面の再生に対応して各場面に夫々関連するコメントを作成する手段、コメントにコンテンツの種類及びコンテンツの各場面に関する情報を含むメタデータを付加する手段、メタデータが付加されたコメントをネットワークへ送信する手段、を含み、他の情報処理装置は、コンテンツを録画する手段、コンテンツを再生する手段、ネットワークからメタデータが付加されたコメントを受信する手段、コメントを格納する手段、再生するコンテンツに基づいて、格納されたメタデータの中から再生するコンテンツの所定の場面に関連するコメントを検索する手段、コンテンツの所定の場面の再生と共に関連するコメントを表示する手段、を含む。【選択図】図４
2013150220.tif 000002
【特許請求の範囲】
【請求項１】
一の情報処理装置と他の情報処理装置とが公衆によって利用可能なネットワークを介して接続された情報処理システムであって、
前記一の情報処理装置は、
各場面を時系列状に包含するコンテンツを再生する再生手段と、
前記コンテンツの各場面の再生に対応して前記各場面に夫々関連するコメントを作成するコメント作成手段と、
前記作成されたコメントに、前記コンテンツの種類及び前記コンテンツの各場面に関する情報を含むメタデータを付加するメタデータ付加手段と、
前記メタデータが付加されたコメントを前記ネットワークへ送信する送信手段と、
を含み、
前記他の情報処理装置は、
前記コンテンツを録画する録画手段と、
前記録画されたコンテンツを再生する再生手段と、
前記ネットワークから前記メタデータが付加されたコメントを受信する受信手段と、
前記メタデータが付加されたコメントを格納する記憶手段と、
前記再生するコンテンツに基づいて、前記格納されたメタデータの中から前記再生するコンテンツの所定の場面に関連するコメントを検索する検索手段と、
前記コンテンツの所定の場面の再生と共に前記所定の場面に関連するコメントを表示する表示手段と、
を含むことを特徴とする情報処理システム。
【請求項２】
前記他の情報処理装置は、前記コンテンツの各場面の再生に対応して作成された前記各場面に夫々関連するコメントに対して追加のコメントを作成する追加コメント作成手段をさらに含み、前記検索されたコンテンツの所定の場面の再生と共に、前記所定の場面に関連するコメントと前記追加のコメントとを前記表示手段に表示することを特徴とする請求項１に記載の情報処理システム。
【請求項３】
他の情報処理装置と公衆によって利用可能なネットワークを介して接続された情報処理装置であって、
各場面を時系列状に包含するコンテンツを再生する再生手段と、
前記コンテンツの各場面の再生に対応して前記各場面に夫々関連するコメントを作成するコメント作成手段と、
前記作成されたコメントに、前記コンテンツの種類及び前記コンテンツの各場面に関する情報を含むメタデータを付加するメタデータ付加手段と、
前記メタデータが付加されたコメントを前記ネットワークへ送信する送信手段と、
を含むことを特徴とする情報処理装置。
【請求項４】
他の情報処理装置と公衆によって利用可能なネットワークを介して接続された情報処理装置であって、
各場面を時系列状に包含するコンテンツを録画する録画手段と、
前記録画されたコンテンツを再生する再生手段と、
前記ネットワークから前記コンテンツの種類及び前記コンテンツの各場面に関する情報を含むメタデータが付加されたコメントを受信する受信手段と、
前記メタデータが付加されたコメントを格納する記憶手段と、
前記再生するコンテンツに基づいて、前記格納されたメタデータの中から前記再生するコンテンツの所定の場面に関連するコメントを検索する検索手段と、
前記コンテンツの所定の場面の再生と共に前記所定の場面に関連するコメントを表示する表示手段と、
を含むことを特徴とする情報処理装置。
【請求項５】
前記コンテンツの各場面の再生に対応して作成された前記各場面に夫々関連するコメントに対して追加のコメントを作成する追加コメント作成手段をさらに含み、前記検索されたコンテンツの所定の場面の再生と共に、前記所定の場面に関連するコメントと前記追加のコメントとを前記表示手段に表示することを特徴とする請求項４に記載の情報処理装置。
【請求項６】
一の情報処理装置と他の情報処理装置とが公衆によって利用可能なネットワークを介して接続された情報処理システムの処理方法であって、
前記一の情報処理装置は、
再生手段が、各場面を時系列状に包含するコンテンツを再生する工程と、
コメント作成手段が、前記コンテンツの各場面の再生に対応して前記各場面に夫々関連するコメントを作成する工程と、
メタデータ付加手段が、前記作成する工程により作成されたコメントに、前記コンテンツの種類及び前記コンテンツの各場面に関する情報を含むメタデータを付加する工程と、
送信手段が、前記付加する工程によりメタデータが付加されたコメントを前記ネットワークへ送信する工程と、
を含み、
前記他の情報処理装置は、
録画手段が、前記コンテンツを録画する工程と、
再生手段が、前記録画する工程により録画されたコンテンツを再生する工程と、
受信手段が、前記ネットワークから前記メタデータが付加されたコメントを受信する工程と、
記憶手段が、前記メタデータが付加されたコメントを格納する工程と、
検索手段が、前記再生するコンテンツに基づいて、前記格納する工程により格納されたメタデータの中から前記再生するコンテンツの所定の場面に関連するコメントを検索する工程と、
表示手段が、前記コンテンツの所定の場面の再生と共に前記所定の場面に関連するコメントを表示する工程と、
を含むことを特徴とする情報処理方法。
【請求項７】
一の情報処理装置と他の情報処理装置とが公衆によって利用可能なネットワークを介して接続された情報処理システムに実行させるコンピュータにより読み取り可能なプログラムであって、
前記一の情報処理装置は、
再生手段が、各場面を時系列状に包含するコンテンツを再生する処理と、
コメント作成手段が、前記コンテンツの各場面の再生に対応して前記各場面に夫々関連するコメントを作成する処理と、
メタデータ付加手段が、前記作成する工程により作成されたコメントに、前記コンテンツの種類及び前記コンテンツの各場面に関する情報を含むメタデータを付加する処理と、
送信手段が、前記付加する工程によりメタデータが付加されたコメントを前記ネットワークへ送信する処理と、
を含み、
前記他の情報処理装置は、
録画手段が、前記コンテンツを録画する処理と、
再生手段が、前記録画する処理により録画されたコンテンツを再生する処理と、
受信手段が、前記ネットワークから前記メタデータが付加されたコメントを受信する処理と、
記憶手段が、前記メタデータが付加されたコメントを格納する処理と、
検索手段が、前記再生するコンテンツに基づいて、前記格納する処理により格納されたメタデータの中から前記再生するコンテンツの所定の場面に関連するコメントを検索する処理と、
表示手段が、前記コンテンツの所定の場面の再生と共に前記所定の場面に関連するコメントを表示する処理と、
を含むことを特徴とするプログラム。
【発明の詳細な説明】
【技術分野】
【０００１】
本発明は、情報処理システム、情報処理装置、情報処理方法、及びプログラムに関する。
【背景技術】
【０００２】
インターネット上のサーバに不特定多数の利用者が投稿した動画を、不特定多数の利用者で共有し、視聴出来るサービスとして、YouTube、GyaO!（Yahoo!動画）、ニコニコ動画等に代表される動画共有サービス（動画投稿サイト）が知られている。
【０００３】
また、個々のユーザが「ツイート」（Tweet）と称される短文を投稿し、閲覧できるコミュニケーション・サービスとして、公衆が利用可能なコミュニティサイトであるTwitter（ツイッター：登録商標）の利用者も爆発的に増加している。
【０００４】
ここで、従来の情報処理システムについて、図８を参照して説明する。図８は、従来の情報処理システムの構成を示す概略図である。図８において、情報処理システム１は、インターネット等のネットワーク網３０を介して、パーソナルコンピュータ（ＰＣ）１０、２０等の情報処理装置が接続され、パーソナルコンピュータ（ＰＣ）１０、２０同士が当該ネットワーク網３０を介してサーバ４０から供給されるコンテンツをやり取りしたり、テレビ等の放送局５０から送信される電波を受信し、テレビ番組等を視聴したりすることが可能となっている。
【０００５】
そして、サーバ４０から配信されるコンテンツ情報や放送局５０から送信されるテレビ番組等を視聴しながら、これらをリアルタイムで視聴しているユーザが、当該コンテンツやテレビ番組に関して、自分の近況や感じたこと等をコメントとして投稿し、時には他のユーザがそのコメントに対して話しかけたりすることで、所謂ゆるいコミュニケーションが生まれている。
【０００６】
このように、コンテンツやテレビ番組等を多数のユーザが同じ場所で視聴している感覚を実現する手段として、パーソナルコンピュータとTwitter（ツイッター：登録商標）に代表される簡易投稿サイト（コメント）とを連動させた情報処理システムが既に知られている。
【０００７】
図９は、従来の情報処理装置においてライブで放送されているコンテンツ（テレビ番組）及びコメントが表示されている状態を示す概念図である。ユーザが、パーソナルコンピュータ（ＰＣ）１０（２０）のコンテンツ表示部１０１に表示される○○テレビのｙｙ年ｍｍ月ｄｄ日のｈｈ時ｍｍ分に放送されているテレビ番組をライブで視聴しながら、コメント表示部１０３に表示される、同じテレビ番組をライブで視聴している他のユーザのコメントを閲覧することにより、他のユーザと同じ場所でテレビ番組を見ている感覚を実現することにより、一緒に盛り上がることが出来る。
【０００８】
また、コメント表示部１０３に、当該番組に関連したコメントがリアルタイムで表示されるので、視聴者間で喜怒哀楽を共有することができ、当該番組だけでは知り得ない情報もコメントとして表示されるため、多角的に情報を得ることが出来るという利点がある。
【０００９】
そして、ユーザは、コメント表示部１０３に表示される他のユーザのコメントを見ながら、自分の感想や他のユーザのコメントに対する応答を、コメント入力部１０２に入力し、コメント送信ボタン１０４をクリックすることにより、コメント表示部１０３に、自分のコメントを表示することも出来る。
【先行技術文献】
【特許文献】
【００１０】
【特許文献１】特許第３７４７８８４号公報
【発明の概要】
【発明が解決しようとする課題】
【００１１】
しかしながら、上記従来の情報処理システムでは、現在放送中のテレビ番組等について視聴者がリアルタイムでコメントを交換することが出来るコミュニティが形成されている一方、当該リアルタイムで放送されている番組以外では、コミュニケーションを取ることは出来ないという課題があった。
【００１２】
また、特許文献１に記載されたコンテンツ記録再生装置では、電子掲示板に掲載されたコメント情報を、コンテンツの特定シーンの検索のためのインデックスとして使用しているだけであり、当該検索された特定シーンの再生と共に、視聴者により書き込まれたコメントを表示することは行われておらず、録画コンテンツを視聴しながら、他の視聴者のコメントを同時に閲覧することはできないという問題がある。
【００１３】
さらに、特許文献１に記載されたコンテンツ記録再生装置では、ある特定の電子掲示板に対するアクセスを行った視聴者からのコメントしか得ることができないので、情報量に乏しく偏りがあり、場合によっては知りたい情報を得ることが出来ず、従来のコンテンツ記録再生装置では、大勢の視聴者間で喜怒哀楽を共有するには不十分であるという課題があった。
【００１４】
そこで本発明は、上記従来の問題点に鑑みてなされたもので、録画コンテンツにおいてもライブ放送と同様な盛り上がりをそのまま体感することが出来ると共に、幅広く一般の人々の情報を得ることが出来る情報処理システム、情報処理装置、情報処理方法、及びプログラムを提供することを目的とする。
【課題を解決するための手段】
【００１５】
上記課題を解決するため、請求項１に記載の本発明における情報処理システムは、一の情報処理装置と他の情報処理装置とが公衆によって利用可能なネットワークを介して接続された情報処理システムであって、前記一の情報処理装置は、各場面を時系列状に包含するコンテンツを再生する再生手段と、前記コンテンツの各場面の再生に対応して前記各場面に夫々関連するコメントを作成するコメント作成手段と、前記作成されたコメントに、前記コンテンツの種類及び前記コンテンツの各場面に関する情報を含むメタデータを付加するメタデータ付加手段と、前記メタデータが付加されたコメントを前記ネットワークへ送信する送信手段と、を含み、前記他の情報処理装置は、前記コンテンツを録画する録画手段と、前記録画されたコンテンツを再生する再生手段と、前記ネットワークから前記メタデータが付加されたコメントを受信する受信手段と、前記メタデータが付加されたコメントを格納する記憶手段と、前記再生するコンテンツに基づいて、前記格納されたメタデータの中から前記再生するコンテンツの所定の場面に関連するコメントを検索する検索手段と、前記コンテンツの所定の場面の再生と共に前記所定の場面に関連するコメントを表示する表示手段と、を含むことを特徴とする。
【００１６】
また、本発明における情報処理システムは、請求項１に記載の情報処理システムにおいて、前記他の情報処理装置は、前記コンテンツの各場面の再生に対応して作成された前記各場面に夫々関連するコメントに対して追加のコメントを作成する追加コメント作成手段をさらに含み、前記検索されたコンテンツの所定の場面の再生と共に、前記所定の場面に関連するコメントと前記追加のコメントとを前記表示手段に表示することを特徴とする。
【００１７】
さらに、上記課題を解決するため、請求項３に記載の本発明における情報処理装置は、他の情報処理装置と公衆によって利用可能なネットワークを介して接続された情報処理装置であって、各場面を時系列状に包含するコンテンツを再生する再生手段と、前記コンテンツの各場面の再生に対応して前記各場面に夫々関連するコメントを作成するコメント作成手段と、前記作成されたコメントに、前記コンテンツの種類及び前記コンテンツの各場面に関する情報を含むメタデータを付加するメタデータ付加手段と、前記メタデータが付加されたコメントを前記ネットワークへ送信する送信手段と、を含むことを特徴とする。
【００１８】
また、上記課題を解決するために、請求項４記載の本発明における情報処理装置は、他の情報処理装置と公衆によって利用可能なネットワークを介して接続された情報処理装置であって、各場面を時系列状に包含するコンテンツを録画する録画手段と、前記録画されたコンテンツを再生する再生手段と、前記ネットワークから前記コンテンツの種類及び前記コンテンツの各場面に関する情報を含むメタデータが付加されたコメントを受信する受信手段と、前記メタデータが付加されたコメントを格納する記憶手段と、前記再生するコンテンツに基づいて、前記格納されたメタデータの中から前記再生するコンテンツの所定の場面に関連するコメントを検索する検索手段と、前記コンテンツの所定の場面の再生と共に前記所定の場面に関連するコメントを表示する表示手段と、を含むことを特徴とする。
【００１９】
そして、本発明における情報処理装置は、請求項４に記載の情報処理装置において、前記コンテンツの各場面の再生に対応して作成された前記各場面に夫々関連するコメントに対して追加のコメントを作成する追加コメント作成手段をさらに含み、前記検索されたコンテンツの所定の場面の再生と共に、前記所定の場面に関連するコメントと前記追加のコメントとを前記表示手段に表示することを特徴とする。
【００２０】
また、上記課題を解決するために、請求項６記載の本発明における情報処理システムの処理方法は、一の情報処理装置と他の情報処理装置とが公衆によって利用可能なネットワークを介して接続された情報処理システムの処理方法であって、前記一の情報処理装置は、再生手段が、各場面を時系列状に包含するコンテンツを再生する工程と、コメント作成手段が、前記コンテンツの各場面の再生に対応して前記各場面に夫々関連するコメントを作成する工程と、メタデータ付加手段が、前記作成する工程により作成されたコメントに、前記コンテンツの種類及び前記コンテンツの各場面に関する情報を含むメタデータを付加する工程と、送信手段が、前記付加する工程によりメタデータが付加されたコメントを前記ネットワークへ送信する工程と、を含み、前記他の情報処理装置は、録画手段が、前記コンテンツを録画する工程と、再生手段が、前記録画する工程により録画されたコンテンツを再生する工程と、受信手段が、前記ネットワークから前記メタデータが付加されたコメントを受信する工程と、記憶手段が、前記メタデータが付加されたコメントを格納する工程と、検索手段が、前記再生するコンテンツに基づいて、前記格納する工程により格納されたメタデータの中から前記再生するコンテンツの所定の場面に関連するコメントを検索する工程と、表示手段が、前記コンテンツの所定の場面の再生と共に前記所定の場面に関連するコメントを表示する工程と、を含むことを特徴とする。
【００２１】
さらに、上記課題を解決するために、請求項７記載の本発明におけるプログラムは、一の情報処理装置と他の情報処理装置とが公衆によって利用可能なネットワークを介して接続された情報処理システムに実行させるコンピュータにより読み取り可能なプログラムであって、前記一の情報処理装置は、再生手段が、各場面を時系列状に包含するコンテンツを再生する処理と、コメント作成手段が、前記コンテンツの各場面の再生に対応して前記各場面に夫々関連するコメントを作成する処理と、メタデータ付加手段が、前記作成する工程により作成されたコメントに、前記コンテンツの種類及び前記コンテンツの各場面に関する情報を含むメタデータを付加する処理と、送信手段が、前記付加する工程によりメタデータが付加されたコメントを前記ネットワークへ送信する処理と、を含み、前記他の情報処理装置は、録画手段が、前記コンテンツを録画する処理と、再生手段が、前記録画する処理により録画されたコンテンツを再生する処理と、受信手段が、前記ネットワークから前記メタデータが付加されたコメントを受信する処理と、記憶手段が、前記メタデータが付加されたコメントを格納する処理と、検索手段が、前記再生するコンテンツに基づいて、前記格納する処理により格納されたメタデータの中から前記再生するコンテンツの所定の場面に関連するコメントを検索する処理と、表示手段が、前記コンテンツの所定の場面の再生と共に前記所定の場面に関連するコメントを表示する処理と、を含むことを特徴とする。
【発明の効果】
【００２２】
本発明によれば、録画コンテンツを視聴するときも他人と感動をリアルタイムに共有することが出来ると共に、一般の人々のコメントに基づいて幅広い情報を得ることが出来る情報処理システム、情報処理装置、情報処理方法、及びプログラムが得られる。
【図面の簡単な説明】
【００２３】
【図１】本発明の実施形態における情報処理システムの構成を示す概略図である。
【図２】本発明の実施形態における情報処理装置の構成を示す概略ブロック図である。
【図３】本発明の実施形態における情報処理装置においてライブで放送されているコンテンツ（テレビ番組）及びコメントを表示する状態を示す概念図である。
【図４】本発明の実施形態における情報処理装置において録画されたコンテンツ（テレビ番組）及びコメントを表示する状態を示す概念図である。
【図５】本発明の実施形態における情報処理装置においてライブで放送されているコンテンツ（テレビ番組）及びコメントを表示するときの動作を示すフロー図である。
【図６】本発明の実施形態における情報処理装置において録画されたコンテンツ（テレビ番組）を表示するときの動作を示すフロー図である。
【図７】本発明の実施形態における情報処理システムにおいて用いられるメタデータ及びコメントの概要を説明するための概念図である。
【図８】従来の情報処理システムの構成を示す概略図である。
【図９】従来の情報処理装置においてライブで放送されているコンテンツ（テレビ番組）及びコメントが表示されている状態を示す概念図である。
【発明を実施するための形態】
【００２４】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、コンテンツをリアルタイムで視聴したユーザにより作成されたコンテンツの内容に関するコメントを、コメントに付加されたネットワーク特有のメタデータに基づいて検索表示することにより、録画されたコンテンツをユーザが視聴するときに、リアルタイムで視聴したユーザにより作成されたコメントと、録画されたコンテンツを視聴するユーザにより作成されたコメントとが、コンテンツの再生と共に同一画面に表示されることにより、録画コンテンツにおいてもライブ放送と同様な盛り上がりをそのまま体感することが出来ると共に、幅広く一般の人々の情報を得ることが可能となるのである。
【００２５】
図１は、本発明の実施形態における情報処理システムの構成を示す概略図である。図１を参照すると、本発明の実施形態における情報処理システム１０は、パーソナルコンピュータ（ＰＣ）等の情報処理装置１００及び２００が、一般公衆が広く利用可能なネットワークであるTwitter（ツイッター：登録商標）に代表される公衆ネットワーク網３００を介して接続され、互いにデータのやり取りを行っている。また、情報処理装置１００は、動画コンテンツ等が格納されているサーバ４００とインターネット等のネットワーク網５００を介して接続されている。なお、公衆ネットワーク網３００に代えて、所謂ストレージサーバや自社サーバのようなものを用いても良い。
【００２６】
また、情報処理装置１００は、サーバ４００に格納されている動画コンテンツ等を、インターネット等のネットワーク網５００を介してダウンロードすることができる。さらに、パーソナルコンピュータ（ＰＣ）１００、２００は、図示しないテレビ局等の送信所から送信される放送電波を受信して、テレビ番組等を視聴することも出来る。
【００２７】
次に、図２を参照して、本発明の実施形態における情報処理装置（パーソナルコンピュータ（ＰＣ））の構成について説明する。図２は、本発明の実施形態における情報処理装置の構成を示す概略ブロック図である。図２において、本発明の実施形態における情報処理装置１００、２００は、図示しないテレビ局からの放送電波を受信するテレビ受信部１６２と、サーバ４００（図１）から動画データ等、各場面を時系列状に含んでいるコンテンツを取得するためのコンテンツ取得Ｉ／Ｆ（Inter/Face）部１６４及びコンテンツ取得部１６３と、受信したテレビ番組の放送日時に関する情報や、取得したコンテンツ情報の取得日時に関する情報を得るためのカレンダー部１６５と、テレビ番組やコンテンツ情報の受信開始からの経過時間、又は後述する録画されたテレビ番組の再生開始からの経過時間を算出する経過時間算出部１６７と、受信され又は録画されたテレビ番組やコンテンツの種類及びコンテンツの場面に関する情報（具体的には、放送局名（チャンネル番号）、番組名又はコンテンツ名と、当該コンテンツに関連するカレンダー情報（ｙｙ年ｍｍ月ｄｄ日ｈｈ時ｍｍ分）、経過時間（視聴開始から○○時間△△分経過）等）、及び当該テレビ番組やコンテンツ情報と共に入力された様々なコメントを併せて記憶するコンテンツ記憶部１５９と、当該受信したテレビ番組やコンテンツ情報、並びにこれらと共に入力されたコメントを録画、再生、及びＬＣＤ（Liquid Crystal Display）等の表示部に表示するためのコンテンツ録画部１６０、コンテンツ再生部１５８、及びコンテンツ表示部１６６と、を具備している。
【００２８】
また、記憶されたテレビ番組等のコンテンツ情報や再生されたテレビ番組等のコンテンツ情報に対して、自分の近況や感じたこと等をコメントとして投稿したり、他のユーザに対して話しかけたりするためのコメントを投稿するためのコメント入力部１５５を含むキーボード、タッチパネル等の入力部１５４と、他のユーザのコメントや自分が投稿したコメントを、コンテンツ情報の表示と並行して表示するコメント表示部１６１と、自分が入力したコメントが、何年何月何日の何時何分に放送された何処の放送局のテレビ番組であるかといったコメントの属性を示す情報を含むメタデータを、投稿するコメントに付加したり、他人が入力したコメントからメタデータを抽出することにより、何年何月何日の何時何分に放送された何処の放送局のテレビ番組であるかといった情報を得るメタデータ付加／抽出１５６と、メタデータ付加／抽出部１５６によりメタデータが付加されたコメントを公衆ネットワーク網３００（図１）に送信したり、他のユーザのコメントを公衆ネットワーク網３００から受信するための公衆ネットワークＩ／Ｆ部１５７と、を具備している。
【００２９】
また、情報処理装置１００、２００内のコンテンツ記憶部１５９は、受信され又は録画されたテレビ番組やコンテンツの種類及びコンテンツの場面に関する情報（具体的には、放送局名（チャンネル番号）、番組名又はコンテンツ名と、当該コンテンツに関連するカレンダー情報（ｙｙ年ｍｍ月ｄｄ日ｈｈ時ｍｍ分）、経過時間（視聴開始から○○時間△△分経過）等）、当該テレビ番組やコンテンツ情報、及び他のユーザのコメントとを対応付けて同時に格納することや、情報処理装置１００、２００において、録画されたコンテンツが再生される時点において、公衆ネットワークＩ／Ｆ部１５７を介して受信される他のユーザのコメントを新規に取得して格納することも行っている。そして、上記各ブロックから構成される情報処理部１５３の全体動作は、記憶部１５２に格納されている制御プログラムをロードすることにより、図示しないＣＰＵ（Central Processing Unit）を内蔵する制御部１５１によって制御されている。
【００３０】
次に、本発明の実施形態における情報処理装置（パーソナルコンピュータ（ＰＣ））の動作イメージについて説明する。図３は、本発明の実施形態における情報処理装置においてライブで放送されているコンテンツ（テレビ番組）及びコメントを表示する状態を示す概念図である。
【００３１】
図３は、情報処理装置（パーソナルコンピュータ（ＰＣ））１００のユーザが、ｙｙ年ｍｍ月ｄｄ日ｈｈ時ｍｍ分に○○テレビの番組をコンテンツ表示部１００１においてライブで視聴している状態を示している。
【００３２】
そして、公衆ネットワーク網３００（図１）から送信される他のユーザのコメントを公衆ネットワークＩ／Ｆ部（図２）１５７を介して受信し、メタデータ付加／抽出部１５６（図１）によりメタデータを抽出し、当該抽出されたメタデータから何年何月何日の何時何分に放送されている何処の放送局のテレビ番組であるかという属性を示す情報に基づいて、他のユーザのコメントをコメント表示部１００３に、コンテンツ表示部１００１にテレビ番組をライブ放送するのと並行して表示する。
【００３３】
また、当該テレビ番組を視聴しているユーザは、当該ライブ映像を見ながら、コメント入力部１００２に対して、自分の近況や当該テレビ番組の感想をコメントとして入力したり、他のユーザに対して話しかけたりするコメントを入力した後、コメント送信ボタン１００４をクリックすることにより、これらのコメントに対してメタデータが付加された後、公衆ネットワーク網３００に送信される。そして、公衆ネットワークＩ／Ｆ部１５７（図２）において、当該メタデータが付加されたコメントが受信され、メタデータ付加／抽出部１５６（図２）によりメタデータが抽出されることにより、ライブ放送されるコンテンツの各場面に関連する他のユーザのコメントがコメント表示部１００３に表示されるのである。
【００３４】
次に、本発明の実施形態における情報処理装置（パーソナルコンピュータ（ＰＣ））のもう１つの動作イメージについて説明する。図４は、本発明の実施形態における情報処理装置において録画されたコンテンツ（テレビ番組）及びコメントを表示する状態を示す概念図である。
【００３５】
図４は、情報処理装置（パーソナルコンピュータ（ＰＣ））２００のユーザが、ｙｙ年ｍｍ月ｄｄ日ｈｈ時ｍｍ分に放送された○○テレビの番組が録画された録画番組をコンテンツ表示部２００１において録画再生している状態を示している。
【００３６】
そして、当該録画されたコンテンツ（テレビ番組）に対して、ライブ放送時に既に入力されたコメントが、コンテンツ表示部２００１に録画再生された映像と並行してコメント表示部２００３に表示される。また、録画コンテンツの再生時又は再生中における、公衆ネットワークＩ／Ｆ部１５７を介して受信される他のユーザによって新たに入力されたコメントを取得し、コメント表示部２００３に表示することも行っている。
【００３７】
また、当該録画番組を視聴しているユーザは、当該録画映像を見ながら、コメント入力部２００２に対して、自分の近況や当該録画番組の感想をコメントとして入力したり、他のユーザに対して話しかけたりするコメントを入力した後、コメント送信ボタン２００４をクリックすることにより、このコメントに対してメタデータが付加された後、公衆ネットワーク網３００に送信される。そして、公衆ネットワークＩ／Ｆ部１５７（図２）において、当該メタデータが付加されたコメントが受信され、メタデータ付加／抽出部１５６（図２）によりメタデータが抽出されることにより、ライブ放送時又は録画再生時に記録された他のユーザのコメントと、録画再生時に入力された当該ユーザのコメントとが、当該コンテンツの所定の場面の再生と共にコメント表示部２００３に表示されるのである。
【００３８】
具体的には、当該録画番組を視聴しているユーザ（ユーザ名：yonaoshi＿44）が、当該録画番組のある特定の場面において“いやー迫力が違うねー！”というコメントを投稿したいと思ったときは、コメント入力部２００２にユーザ名と投稿するコメント内容を入力し、コメント送信ボタン２００４をクリックすることにより、当該特定の場面の再生と共に、コメント表示部２００３の追加コメント表示欄２００５に当該投稿コメントがユーザ名と共に表示されるのである。
【００３９】
さらに、当該録画番組を視聴しているユーザが自分以外にも存在する場合、当該録画番組を視聴している他のユーザが入力したコメントについても、ライブ放送時に記録された当該ライブ映像を見た他のユーザのコメント、録画再生時に記録された他のユーザのコメント、及び自分が録画再生時に入力したコメントと併せて当該再生映像の特定の場面と共にコメント表示部２００３に表示されるのである。
【００４０】
これにより、録画番組を視聴しているときであっても、多くの視聴者が参加していると想定されるライブ放送時と同様の盛り上がりを体感することが出来るので、公衆ネットワーク網を用いることにより、ライブ放送時に感動を共有するだけでなく、録画番組の視聴時においても感動を共有することが出来るのである。また、一般公衆が広く利用可能なネットワークであるTwitter（ツイッター：登録商標）に代表される公衆ネットワーク網を利用することにより、独自に専用サーバを設ける必要がなく、幅広い層の人々から多くの情報量を得ることが出来るのである。
【００４１】
次に、本発明の実施形態における情報処理装置（パーソナルコンピュータ（ＰＣ））の動作について説明する。図５は、本発明の実施形態における情報処理装置においてライブで放送されているコンテンツ（テレビ番組）及びコメントを表示するときの動作を示すフロー図である。
【００４２】
図５において、まず、情報処理装置（パーソナルコンピュータ（ＰＣ））１００のコンテンツ取得部１６３（図２）又はテレビ受信部１６２（図２）において、コンテンツ（テレビ番組）が受信されコンテンツ表示部１００１に映像が再生される（ステップ（以下「Ｓ」という。）５００）。そして、カレンダー部１６５により、コンテンツ（テレビ番組）の放送日時、チャンネル番号情報等が取得される（Ｓ５０１）。具体的には、Ｓ５０１の処理では、再生している動画から情報処理を行うために必要な情報（例えば、チャンネル番号）が取得される。
【００４３】
次に、Ｓ５０２において、コンテンツ表示部１００１に表示されるコンテンツ（テレビ番組）の放送時刻、チャンネル番号（テレビ局名）、年月日、コンテンツ名（番組名）等の情報がメタデータとして付加されたコメントの有無が検索される。
【００４４】
Ｓ５０３において、Ｓ５０２での検索に基づいて、表示されるコンテンツ（テレビ番組）の放送時刻、受信チャンネル（テレビ局名）、年月日、コンテンツ名（番組名）等の情報がメタデータとして付加されたコメントが存在するか否かが判断される。具体的には、コメントを検索／取得する処理として、ウェブサイト（例えば、Twitter（ツイッター：登録商標））より、付加されたメタデータの中のチャンネル番号情報が、Ｓ５０１の処理で得た情報と一致し、かつ投稿時刻情報が現在時刻に近い（例えば、３０分以内等）コメントが検索され、該当するコメントが取得される。
【００４５】
Ｓ５０３において検索されたコメントで、まだコメント表示部１００３に表示されていないコメントが存在する（Ｓ５０３：ＹＥＳ）と判断されたときにはＳ５０４へ移行し、当該コメントが受信され、コメント表示部１００３に表示される。
【００４６】
一方、当該コメントが存在しない（Ｓ５０３：ＮＯ）と判断されたときは、Ｓ５０５へ移行し、Ｓ５０５では、コンテンツ（テレビ番組）の受信が終了したか否かが判断される。Ｓ５０５において、コンテンツ（テレビ番組）の受信が終了していない（Ｓ５０５：ＮＯ）と判断されたときには、Ｓ５０２へ移行し、再び、メタデータが付加されたコメントの有無が検索され、コンテンツ（テレビ番組）の受信が終了した（Ｓ５０５：ＹＥＳ）と判断されたときには、処理が終了する。
【００４７】
ここで、コメント、及びコメントに付加されるメタデータについて図７を用いて説明する。図７は、本発明の実施形態における情報処理システムにおいて用いられるメタデータ及びコメントの概要を説明するための概念図である。
【００４８】
図７において、コメントとは、ライブ又は録画映像を視聴したユーザが、当該映像の所定の場面に反応して投稿する感想や他のユーザのコメントに対して投稿するものである。また、このコメントには、図７に示すように当該コメントに関連する情報であるメタデータが付加される。
【００４９】
メタデータは、コメントに付加されているコメント以外の総称である。例えば、ネットワーク上の電子掲示板においてコメントに標準的に付加されている情報（コメント投稿時刻、コメント投稿者名、コメントの宛先等）が該当する。
【００５０】
加えて、本発明においては、コメント中に所定の記述方法を用いて付加された情報もメタデータとして扱う。例えば、簡易投稿サイトであるTwitter（ツイッター（登録商標））において、記号“＃”と任意の文字列の組み合わせで表現されるハッシュタグが挙げられる。ハッシュタグを用いることで電子掲示板の標準的なメタデータ情報以外の情報を付加することができる。例えば、当該コメントに関連するコンテンツの情報、具体的には、放送局名（チャンネル番号）、番組名又はコンテンツ名と、当該コンテンツに関連するカレンダー情報（ｙｙ年ｍｍ月ｄｄ日ｈｈ時ｍｍ分）等といったコンテンツの種類及びコンテンツの場面に関する情報を含めることができる。よって、投稿されたコメントに、メタデータが付加されていれば、当該メタデータの中の情報を識別することにより、当該コメントが如何なるコンテンツの如何なる場面に関連するものであるかを認識することが出来る。
【００５１】
次に、本発明の実施形態における情報処理装置（パーソナルコンピュータ（ＰＣ））の動作について説明する。図６は、本発明の実施形態における情報処理装置において録画されたコンテンツ（テレビ番組）を表示するときの動作を示すフロー図である。
【００５２】
図６において、まず、情報処理装置（パーソナルコンピュータ（ＰＣ））２００のコンテンツ記憶部１５９に格納されたメタデータに基づいて、録画コンテンツ（録画テレビ番組）の録画日時、テレビ番組のチャンネル番号等の情報が取得される（Ｓ６００）。具体的には、再生する動画の特定処理として、再生する録画コンテンツ（録画テレビ番組）を特定するための情報（例えば、録画開始日時、録画コンテンツの長さ、チャンネル番号）が取得される。
【００５３】
次に、Ｓ６０１において、コンテンツ再生部１５８により、録画コンテンツ（録画テレビ番組）の再生が開始される。そして、Ｓ６０２において、制御部１５１の図示しないＣＰＵにより、コンテンツ記憶部１５９の中から、録画コンテンツ（録画テレビ番組）の再生場面に対応するメタデータ（コメント投稿時刻、コンテンツ放送時刻、受信チャンネル（テレビ局名）、録画年月日、コンテンツ名（番組名）等の情報）が付加されたコメントの有無が検索される。
【００５４】
具体的には、特定のウェブサイト（例えば、Twitter（ツイッター：登録商標））より、メタデータが、Ｓ６００の処理で得たチャンネル番号と一致し、かつメタデータのコメント投稿時刻情報がＳ６００の処理で得た録画開始日時以降から録画開始日時に録画コンテンツの長さを加算した時刻までの間であるコメントが検索され、未取得のものがあれば、取得される（テレビ番組録画中に、予めハードディスクドライブ等のローカルストレージに一括して取得され保存されていても良い）。（また、メタデータのコメント投稿時刻情報がＳ６００の処理で得た録画開始日以降から録画開始日時に録画コンテンツの長さを加算した時刻までの間ではないコメントであっても、録画コンテンツの場面を特定する目的でコンテンツ放送時刻情報が別途付加されている場合、コンテンツ放送時刻情報をコメント投稿時刻情報と見做して取得し以降の処理をしても良い。また、録画番組視聴中に投稿されるコメントは、コンテンツ放送時刻情報が付加されて投稿されるようにしても良い。これにより、ライブ放送当時に投稿されたコメントと録画コンテンツ視聴中に新たに投稿されたコメントが同じように処理される。）
【００５５】
そして、Ｓ６０３では、Ｓ６０２で検索された結果、再生する録画コンテンツ（録画テレビ番組）に対応するメタデータが付加されたコメントが存在するか否かが判断され、コメントが存在するときには（Ｓ６０３：ＹＥＳ）、Ｓ６０４へ移行し、コメントが存在しないときには（Ｓ６０３：ＮＯ）、Ｓ６０６の処理へ移行する。
【００５６】
さらに、Ｓ６０４では、経過時間算出部１６７により、当該録画コンテンツ（録画テレビ番組）の再生開始からの経過時間が計算される。具体的には、再生経過時間から放送時刻を算出する処理として、当該コンテンツ（テレビ番組）の、Ｓ６００において取得された録画開始日時とＳ６０４において計算された録画再生経過時間から、現在再生中の場面の放送当時の時刻が算出され、る。
【００５７】
そして、Ｓ６０５において、録画コンテンツ（録画テレビ番組）の時刻に一致したコメントが検索される。具体的には、コメント表示処理として、Ｓ６０２の処理で検索されたコメントのうち、Ｓ６０４の処理で算出された放送時刻より早いコメント投稿時刻情報を持つコメントで、かつコメント表示部２００３に未表示のコメントがコメント表示部２００３に表示される。
【００５８】
そして、Ｓ６０６では、録画コンテンツ（録画テレビ番組）の再生が終了したか否かが判断され、再生が終了したと判断されたときは（Ｓ６０６：ＹＥＳ）、処理が終了され、再生が終了していないと判断されたときは（Ｓ６０６：ＮＯ）、Ｓ６０２の処理へ戻る。これにより、当該録画コンテンツ（録画テレビ番組）を視聴するユーザは、当該録画コンテンツがライブ放送された当時のコメントを通して感動や盛り上がりを当時のままに体験できるのである。また、当該録画コンテンツ（録画テレビ番組）を視聴している他のユーザが入力したコメントが、ライブ放送時に記録された当該ライブ映像を見た他のユーザのコメント、及び自分が録画コンテンツの再生時に入力したコメントと併せて当該再生映像の所定の場面と共にコメント表示部２００３に表示されるのである。
【００５９】
このように、図６で説明した本発明の実施形態における情報処理装置において、録画されたコンテンツ（テレビ番組）を再生するときの動作としては、再生するコンテンツ（テレビ番組）に基づいて、コンテンツ記憶部に格納されたメタデータの中から、再生するコンテンツ（テレビ番組）の所定の場面に関連するコメントが検索され、コンテンツ（テレビ番組）の所定の場面の再生と共に当該検索されたコメントが表示されるのである。
【００６０】
そして、図５、及び図６に示した本発明の実施形態に係る情報処理装置の各動作フローは、コンピュータ上のプログラムに実行させることもできる。すなわち、図２の制御部１５１に内蔵される図示しないＣＰＵが、ＲＯＭ（Read Only Memory）、ＲＡＭ（Random Access Memory）等から構成される記憶部１５２に格納されたプログラムをロードし、プログラムの処理ステップが順次実行されることによって行われる。
【００６１】
以上説明してきたように、本発明によれば、コンテンツをリアルタイムで視聴したユーザにより作成されたコンテンツの内容に関するコメントを、コメントに付加されたネットワーク特有のメタデータに基づいて検索表示することにより、録画されたコンテンツをユーザが視聴するときに、リアルタイムで視聴したユーザにより作成されたコメントと、録画されたコンテンツを視聴するユーザにより作成されたコメントとが、コンテンツの再生と共に同一画面に表示されることにより、録画コンテンツにおいてもライブ放送と同様な盛り上がりをそのまま体感することが出来ると共に、幅広く一般の人々の情報を得ることが可能となるのである。これにより、録画コンテンツを視聴するときも他人と感動をリアルタイムに共有することが出来ると共に、一般の人々のコメントに基づいて幅広い情報を得ることが出来るのである。
【００６２】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６３】
１０    情報処理システム
１００、２００    パーソナルコンピュータ（ＰＣ）
１５１    制御部
１５２    記憶部
１５３    情報処理部
１５４    入力部
１５５、１００２、２００２    コメント入力部
１５６    メタデータ付加／抽出部
１５７    公衆ネットワークＩ／Ｆ部
１５８    コンテンツ再生部
１５９    コンテンツ記憶部
１６０    コンテンツ録画部
１６１、１００３、２００３    コメント表示部
１６２    テレビ受信部
１６３    コンテンツ取得部
１６４    コンテンツ取得Ｉ／Ｆ部
１６５    カレンダー部
１６６、１００１、２００１    コンテンツ表示部
１６７    経過時間算出部
３００    公衆ネットワーク網
４００    サーバ
５００    ネットワーク網
１００４、２００４    コメント送信ボタン
２００５    追加コメント表示欄
【図１】
2013150220.tif 000003
【図２】
2013150220.tif 000004
【図３】
2013150220.tif 000005
【図４】
2013150220.tif 000006
【図５】
2013150220.tif 000007
【図６】
2013150220.tif 000008
【図７】
2013150220.tif 000009
【図８】
2013150220.tif 000010
【図９】
2013150220.tif 000011